【手続補正書】
【提出日】平成30年4月16日(2018.4.16)
【手続補正１】
【補正対象書類名】特許請求の範囲
【補正対象項目名】全文
【補正方法】変更
【補正の内容】
【特許請求の範囲】
【請求項１】
電源に結合される負荷抵抗器のペアと、
第１の複数の分岐と複数のテール電流源と複数のソースノードとを含む第１の部分、前記第１の複数の分岐の各分岐は、トランジスタの差動ペアと、前記複数のテール電流源のうちの前記テール電流源の異なる１つとを含み、トランジスタの各差動ペアについて、１つのトランジスタの前記ソース端末は、前記複数のソースノードのそれぞれのソースノードを形成するための結合であり、
前記複数のテール電流源の各テール電流源は、前記複数のソースノードのうちの１つに結合し、
前記トランジスタの差動ペアおよび前記複数のテール電流源は、電流コーディングスキームで構成される、と、
第２の複数の分岐と前記第２の複数の分岐に結合される固定電流源とを含む第２の部分、前記第２の複数の分岐の各分岐は、サイズコーディングスキームで構成される、複数のスイッチと、前記第１の複数の分岐中の前記トランジスタの差動ペアと異なる第２の複数のトランジスタの差動ペアとを含み、
前記複数のスイッチの各スイッチは、前記第２の複数のトランジスタの差動ペアの対応するトランジスタの差動ペアをオンまたはオフにするように使用され、結合され、
前記第２の複数の分岐の前記各分岐における前記第２の複数のトランジスタの差動ペアは、前記第２の複数の分岐の総数によって３６０度を等しく分割することから生じる特定の位相を有する差動入力信号を受信し、
前記第２の複数の分岐の２つの隣接する分岐におけるスイッチは、前記２つの隣接する分岐の特定の位相間で所望の位相を有する差動出力信号を生成するためにオンにされ、
前記第１の部分と前記第２の部分は、互いに結合され、前記負荷抵抗器のペアに結合される、と
を備える、位相補間器。
【請求項２】
前記第２の複数の分岐のすべての中で同時にオンにされるスイッチの総数は、前記第２の複数の分岐の単一の分岐中の前記スイッチの総数に等しい、
請求項１に記載の位相補間器。
【請求項３】
前記２つの隣接する分岐の各々中のオンにされる前記複数のスイッチの数は、前記所望の位相が前記２つの隣接する分岐の前記特定の位相のうちの任意の１つにどのくらい近いかに比例する、
請求項１に記載の位相補間器。
【請求項４】
複数の結合キャパシタをさらに備え、各結合キャパシタは、前記第１の複数の分岐の２つの隣接する分岐におけるソースノード間に結合される、
請求項１に記載の位相補間器。
【請求項５】
前記第１の部分と前記第２の部分とは、互いに結合され、前記第１の複数の分岐におけるトランジスタの差動ペアのドレイン端子で、および前記第２の複数の分岐における前記トランジスタの差動ペアのドレイン端子で前記負荷抵抗器のペアに結合される、
請求項１に記載の位相補間器。
【請求項６】
電流コーディングスキームとサイズコーディングスキームとを組み合わせることによって位相補間器の線形性を改善するための方法であって、
対応する複数の分岐で複数の差動入力信号を受信すること、前記対応する複数の分岐は、前記電流コーディングスキームで構成される第１の部分と、前記サイズコーディングスキームで構成される第２の部分とを備え、各差動入力信号は、割り当てられた位相を有し、
前記第１の部分の各分岐は、
ソース結合されたトランジスタの差動ペアを備え、トランジスタの各差動ペアについて、１つのトランジスタの前記ソース端末は、前記複数のソースノードのそれぞれのソースノードを形成するように、他のトランジスタの前記ソース端末に結合される、
前記各分岐の前記ソースノード中を流れる電流量を制御することによって前記複数の差動入力信号の割り当てられた位相間を補間すること、
前記第２の部分の各分岐は、
前記第１の部分の前記分岐中の前記トランジスタのペアと異なる複数のトランジスタの差動ペアと複数のスイッチとを備える、と、
前記複数のスイッチによってオンにされる前記複数のトランジスタの差動ペアの数を制御することによって前記複数の差動入力信号の前記割り当てられた位相間を補間すること、これは、前記第２の部分における前記トランジスタの差動ペアに結合される前記複数のスイッチの対応するスイッチを使用して前記第２の部分におけるトランジスタの差動ペアをオンまたはオフにすることを備え、
前記第１の部分および前記第２の部分の各々における各差動入力信号の前記割り当てられた位相は、前記第１の部分および前記第２の部分の各々における前記複数の分岐の総数によって３６０度を等しく分割することによって割り当てられ、
前記第１の部分の前記複数の分岐に対して、ユニット電流源は、２つの隣接する分岐の前記割り当てられた位相間の所望の位相を有する差動出力信号のペアを生成するために前記２つの隣接する分岐中で切り替えられ、
前記第２の部分の前記複数の分岐に対して、２つの隣接する分岐の前記複数のスイッチは、前記２つの隣接する分岐の前記割り当てられた位相間の所望の位相を有する差動出力信号のペアを生成するためにオンにされる、と、
前記第２の部分に前記第１の部分を結合することと
を備える、方法。
【請求項７】
前記第２の部分における前記複数の分岐のすべての中で同時にオンにされるスイッチの総数は、前記第２の部分の単一の分岐中の前記スイッチの総数に等しい、
請求項６に記載の方法。
【請求項８】
前記第２の部分における前記２つの隣接する分岐の各々中のオンにされる前記複数のスイッチの数は、前記所望の位相が前記２つの隣接する分岐の前記特定の位相のうちの任意の１つにどのくらい近いかに比例する、
請求項６に記載の方法。
【請求項９】
前記第１の部分における隣接する分岐のペアの前記ソースノード間のキャパシタンスを結合することをさらに備える、
請求項６に記載の方法。
【請求項１０】
電流コーディングスキームとサイズコーディングスキームとを組み合わせることによって位相補間器の線形性を改善するための装置であって、
対応する複数の分岐で複数の差動入力信号を受信するための手段、前記対応する複数の分岐は、前記電流コーディングスキームで構成される第１の部分と、前記サイズコーディングスキームで構成される第２の部分とを備え、各差動入力信号は、割り当てられた位相を有し、
前記第１の部分の各分岐は、
ソース結合されたトランジスタの差動ペアを備え、前記ソース結合されたトランジスタの差動ペアのソース端子は、ソースノードを形成するために結合される、と、
前記各分岐の前記ソースノード中を流れる電流量を制御することによって前記複数の差動入力信号の割り当てられた位相間を補間するための手段、
前記第２の部分の各分岐は、
前記第１の部分の前記分岐中の前記トランジスタのペアと異なる複数のトランジスタの差動ペアと複数のスイッチとを備える、と、
前記対応する複数のスイッチによってオンにされる前記複数のトランジスタの差動ペアの数を制御することによって前記複数の差動入力信号の前記割り当てられた位相間を補間するための手段、これは、前記第２の部分における前記トランジスタの差動ペアに結合される前記複数のスイッチの対応するスイッチを使用して前記第２の部分におけるトランジスタの差動ペアをオンまたはオフにするための手段を備え、
前記第１の部分および前記第２の部分の各々における各差動入力信号の前記割り当てられた位相は、前記第１の部分および前記第２の部分の各々における前記複数の分岐の総数によって３６０度を等しく分割することによって割り当てられ、
前記第１の部分の前記複数の分岐に対して、ユニット電流源は、２つの隣接する分岐の前記割り当てられた位相間の所望の位相を有する差動出力信号のペアを生成するために前記２つの隣接する分岐中で切り替えられ、
前記第２の部分の前記複数の分岐に対して、２つの隣接する分岐の前記複数のスイッチは、前記２つの隣接する分岐の前記割り当てられた位相間の所望の位相を有する差動出力信号のペアを生成するためにオンにされる、と、
前記第２の部分に前記第１の部分を結合するための手段と
を備える、装置。
【請求項１１】
前記第２の部分における前記複数の分岐のすべての中で同時にオンにされるスイッチの総数は、前記第２の部分の単一の分岐中の前記スイッチの総数に等しい、
請求項１０に記載の装置。
【請求項１２】
前記第２の部分における前記２つの隣接する分岐の各々中のオンにされる前記複数のスイッチの数は、前記所望の位相が前記２つの隣接する分岐の前記特定の位相のうちの任意の１つにどのくらい近いかに比例する、
請求項１０に記載の装置。
【請求項１３】
前記第１の部分における隣接する分岐のペアの前記ソースノード間のキャパシタンスを結合するための手段をさらに備える、
請求項１０に記載の装置。